(57)【要約】【課題】土砂構造物の傾斜面を確実に補強する。【解決手段】土砂構造物の傾斜面１１を補強する土砂構造物の補強方法は、傾斜面１１に、鉛直方向に沿う側面１３ａを有する小段部１３を形成する工程と、小段部１３の側面１３ａに受圧部材１７を配置する工程と、小段部１３の側面１３ａに排水部材１９を打込む工程と、受圧部材１７を排水部材１９に固定する工程と、を備えている。【選択図】図１
2017218768.tif 000002
【特許請求の範囲】
【請求項１】
土砂構造物の傾斜面を補強する土砂構造物の補強方法であって、
前記傾斜面に、鉛直方向に沿う側面を有する小段部を形成する工程と、
前記小段部の側面に受圧部材を配置する工程と、
前記小段部の側面に排水部材を打込む工程と、
前記受圧部材を前記排水部材に固定する工程と、
を備えたことを特徴とする土砂構造物の補強方法。
【請求項２】
前記受圧部材を配置する工程は、前記小段部を形成する工程の後で、前記小段部の側面に前記受圧部材を対向当接させることで実施することを特徴とする請求項１に記載の土砂構造物の補強方法。
【請求項３】
前記傾斜面における前記小段部の形成予定部位に前記受圧部材を打込む工程を備え、
前記小段部を形成する工程および前記受圧部材を配置する工程は、前記受圧部材を打ち込む工程の後、前記形成予定部位に土砂を充填すること、または前記形成予定部位から土砂を除去することで実施することを特徴とする請求項１に記載の土砂構造物の補強方法。
【請求項４】
傾斜面を有する土砂構造物の補強構造であって、
前記傾斜面に形成された小段部が有する鉛直方向に沿う側面に配置された受圧部材と、
前記小段部の側面に打込まれた排水部材と、を有し、
前記受圧部材が前記排水部材に固定されていることを特徴とする土砂構造物の補強構造。
【請求項５】
前記受圧部材とは別部材からなり前記受圧部材を背面側から支持する支持部材と、
前記支持部材と前記排水部材とを固定する固定部材と、を有している、請求項４に記載の土砂構造物の補強構造。
【請求項６】
前記支持部材は、前記受圧部材の背面側に当接するリブ部と、前記リブ部に固定されて前記排水部材を挿通するリング部と、を有し、
前記固定部材は、前記リング部と前記排水部材との間に打ち込むくさび部を有することを特徴とする請求項５に記載の土砂構造物の補強構造。
【請求項７】
前記受圧部材は、複数層積層されていることを特徴とする請求項４乃至６の何れか１項に記載の土砂構造物の補強構造。
【請求項８】
土砂構造物の傾斜面における小段部の側面に配置可能な受圧部材と、
前記小段部の側面に打込み可能な排水部材と、
前記受圧部材とは別部材からなり前記受圧部材の背面側を支持する支持部材と、
前記排水部材と前記支持部材とを固定する固定部材と、を備え、
前記支持部材は、前記受圧部材の背面側に当接するリブ部と、前記リブ部に固定されて前記排水部材を挿通するリング部と、を備え、
前記固定部材は、前記リング部と前記排水部材との間に打ち込むくさび部を有することを特徴とする土砂構造物用の受圧用具。
【発明の詳細な説明】
【技術分野】
【０００１】
本発明は、土砂構造物の補強方法と、土砂構造物の補強構造と、土砂構造物用の受圧用具とに関する。
【背景技術】
【０００２】
従来より、切土や盛土などの土砂構造物により形成された斜面の広い範囲に土留構造物を構築することで、地滑りや斜面の崩壊などが防止されている。
土留壁などを支持するためにアースアンカー工法などが採用されており、例えば特許文献１等に記載されているアンカー用受圧板等が使用されている。この工法では、斜面に沿って配置された受圧板をアンカーにより強固に地盤に固定して使用されている。
また、土砂構造物の傾斜面を補強する方法として、例えば特許文献２に記載されているような排水部材を採用する方法がある。この方法では、土砂構造物に浸透する水を排水部材が排出することにより、土のせん断抵抗力を向上させて土砂構造物の安定を図る。排水部材は、土砂構造物内の水を外部に排出するため、水平となるように、または地表側の端部に向けて下り勾配となるように、土砂構造物に配設される。
【先行技術文献】
【特許文献】
【０００３】
【特許文献１】特開２００５−１３３５１０号公報
【特許文献２】特開２０１２−２０１２号公報
【発明の概要】
【発明が解決しようとする課題】
【０００４】
前記従来の土留構造物は、例えば、切土や盛土により形成された斜面が急勾配な場合に使用されている。この場合、土砂構造物が変状するときに生じる土圧を土留構造物が支持し、土留構造物が土砂構造物の安定性を高める。
一方、緩斜面（例えば、縦：横＝１：０．５よりも緩い勾配の斜面）の場合には、急勾配な場合に比べ土圧が小さいため、土留構造物を配設せず、土砂構造物内に排水部材を配置するのが一般的である。この場合、土砂構造物を構成する土自体の耐力で安定性を保つように土砂構造物が構築される。つまり、排水部材の排水により、雨水等の浸透により土の自重が増加することを抑制し、かつ、土の間隙水圧が上昇することで土のせん断強さが低下することを抑制する。
しかしながら、緩斜面の場合には、時間あたりの降水量が多い場合等に、土砂構造物への給水量が、排水部材の排水能力を上回ることがある。この場合、土の強度低下等が進んだり、土砂構造物内の排水が進む前に地震等による作用を受けたりすることがあり、傾斜面を効果的に補強することが容易でなかった。
【０００５】
本発明は前述した事情に鑑みてなされたものであって、土砂構造物の傾斜面を確実に補強することが可能な土砂構造物の補強方法と、土砂構造物の補強構造と、土砂構造物用の受圧用具と、を提供することを目的とする。
【課題を解決するための手段】
【０００６】
前記課題を解決するために、本発明は以下の手段を提案している。
本発明に係る土砂構造物の補強方法は、土砂構造物の傾斜面を補強する土砂構造物の補強方法であって、前記傾斜面に、鉛直方向に沿う側面を有する小段部を形成する工程と、前記小段部の側面に受圧部材を配置する工程と、前記小段部の側面に排水部材を打込む工程と、前記受圧部材を前記排水部材に固定する工程と、を備えたことを特徴とする。
【０００７】
この発明によれば、土砂構造物の傾斜面にそのまま受圧板を配置するのではなく、土砂構造物の傾斜面に小段部を形成して土砂構造物を補強するので、傾斜面が緩斜面であってもしっかりと補強することができる。
特に鉛直方向に沿うように形成した小段部の側面に受圧部材を配置するので、受圧部材から傾斜面の土砂が逃げ難い。また土砂構造物のうち排水部材が打込まれた部分では排水が促進されることから、排水部材の周辺の土はせん断強さが高まり易い。そして排水を促進できる排水部材に土砂が逃げ難い受圧部材を固定するので、排水部材及び受圧部材により傾斜面の土砂を強固に支持することができる。
従って土砂構造物の傾斜面を確実に補強することが可能である。
【０００８】
また、前記受圧部材を配置する工程は、前記小段部を形成する工程の後で、前記小段部の側面に前記受圧部材を対向当接させることで実施することであってもよい。
この場合、小段部の側面を形成した後で、小段部の側面に受圧部材を対向当接させるので、受圧部材を適切な向きで設置する作業が容易である。
【０００９】
また、前記傾斜面における前記小段部の形成予定部位に前記受圧部材を打込む工程を備え、前記小段部を形成する工程および前記受圧部材を配置する工程は、前記受圧部材を打ち込む工程の後、前記形成予定部位に土砂を充填すること、または前記形成予定部位から土砂を除去することで実施してもよい。
この場合、小段部の形成予定部位に受圧部材を打込んで側面形状を形成してから、小段部を形成するので、傾斜面が崩れやすくても鉛直方向に沿う側面を有する小段部を形成することができる。
【００１０】
本発明に係る土砂構造物の補強構造は、傾斜面を有する土砂構造物の補強構造であって、前記傾斜面に形成された小段部が有する鉛直方向に沿う側面に配置された受圧部材と、前記小段部の側面に打込まれた排水部材と、を有し、前記受圧部材が前記排水部材に固定されていることを特徴とする。
【００１１】
この発明によれば、土砂構造物の傾斜面にそのまま受圧板を配置するのではなく、土砂構造物の傾斜面に小段部を形成して土砂構造物を補強しているので、傾斜面が緩斜面であってもしっかりと補強することができる。
特に鉛直方向に沿うように形成した小段部の側面に受圧部材を配置するので、受圧部材から傾斜面の土砂が逃げ難い。また土砂構造物のうち排水部材が打込まれた部分では排水が促進されることから、排水部材の周辺の土はせん断強さが高まり易い。そして排水を促進できる排水部材に土砂が逃げ難い受圧部材を固定するので、排水部材及び受圧部材により傾斜面の土砂を強固に支持することができる。
従って土砂構造物の傾斜面を確実に補強することが可能である。
【００１２】
また、前記受圧部材とは別部材からなり前記受圧部材を背面側から支持する支持部材と、前記支持部材と前記排水部材とを固定する固定部材と、を有していてもよい。
この場合、受圧部材を背面側から支持する支持部材が受圧部材とは別部材からなるので、受圧部材を強固に支持する支持部材を設けても、受圧部材を軽量に形成できる。そのため十分な補強強度を確保できる補強構造であっても、施工時の作業性を向上できる。
【００１３】
また、前記支持部材は、前記受圧部材の背面側に当接するリブ部と、前記リブ部に固定されて前記排水部材を挿通するリング部と、を有し、前記固定部材は、前記リング部と前記排水部材との間に打ち込むくさび部を有してもよい。
この場合、支持部材が受圧部材の背面側に当接するリブ部にリング部を固定した構造のため、受圧部材を強固に支持する支持部材を軽量化できる。固定部材のくさび部も、リング部と排水部材との間に打ち込んで固定できればよいため軽量化できる。そのため作業性の更なる向上を図れる。
【００１４】
また、前記受圧部材は、複数層積層されていてもよい。
この場合、受圧部材は、複数層積層されているので、単体重量の増加を防止して受圧部材全体の強度を向上することができる。
【００１５】
本発明に係る土砂構造物用の受圧用具は、土砂構造物の傾斜面における小段部の側面に配置可能な受圧部材と、前記小段部の側面に打込み可能な排水部材と、前記受圧部材とは別部材からなり前記受圧部材の背面側を支持する支持部材と、前記排水部材と前記支持部材とを固定する固定部材と、を備え、前記支持部材は、前記受圧部材の背面側に当接するリブ部と、前記リブ部に固定されて前記排水部材を挿通するリング部と、を備え、前記固定部材は、前記リング部と前記排水部材との間に打ち込むくさび部を有することを特徴とする。
【００１６】
この発明によれば、受圧部材を背面側から支持する支持部材が受圧部材とは別部材からなるので、受圧部材を強固に支持する支持部材を設けても、受圧部材を軽量に形成できる。支持部材が受圧部材の背面側に当接するリブ部にリング部を固定した構造のため、受圧部材を強固に支持する支持部材を軽量化できる。固定部材のくさび部も、リング部と排水部材との間に打ち込んで固定できればよいため軽量化できる。
そのため十分な補強強度を確保できる補強構造であっても、施工時の作業性を向上できる。
【発明の効果】
【００１７】
本発明によれば、土砂構造物の傾斜面に小段部を形成して土砂構造物を補強するので、傾斜面が緩斜面であってもしっかりと補強することができる。また鉛直方向に沿うように形成した小段部の側面に受圧部材を配置するので、受圧部材から傾斜面の土砂が逃げ難い。さらに排水を促進できる排水部材に土砂が逃げ難い受圧部材を固定するので、排水部材及び受圧部材により傾斜面の土砂を強固に支持することができる。
その結果、土砂構造物の傾斜面を確実に補強することが可能な土砂構造物の補強方法と、土砂構造物の補強構造と、土砂構造物用の受圧用具と、を提供することが可能である。
【図面の簡単な説明】
【００１８】
【図１】第１実施形態の補強構造の断面図である。
【図２】第１実施形態の補強構造の背面図である。
【図３】第１実施形態の補強方法における手順の概略を示すフローチャートである。
【図４】第１実施形態の補強方法における小段部の形成工程を説明する断面図である。
【図５】第１実施形態の補強方法における排水部材の打込工程を説明する断面図である。
【図６】第１実施形態の補強方法における受圧部材の配置工程を説明する断面図である。
【図７】第１実施形態の補強方法における支持部材の配置工程を説明する断面図である。
【図８】第１実施形態の補強方法における固定部材による固定工程を説明する断面図である。
【図９】第２実施形態の補強構造の断面図である。
【図１０】第２実施形態の補強構造の背面図である。
【図１１】第２実施形態の補強方法における手順の概略を示すフローチャートである。
【図１２】第２実施形態の補強方法における小段部の形成工程及び打込み受圧部材の配置工程を説明する断面図である。
【図１３】第２実施形態の補強方法における排水部材の打込工程を説明する断面図である。
【図１４】第２実施形態の補強方法における定置受圧部材の配置工程及び支持部材の配置工程を説明する断面図である。
【図１５】第２実施形態の補強方法における固定部材による固定工程を説明する断面図である。
【図１６】第３実施形態の補強構造の断面図である。
【図１７】第３実施形態の補強方法における手順の概略を示すフローチャートである。
【図１８】第３実施形態の補強方法における打込み受圧部材の配置工程を説明する断面図である。
【図１９】第３実施形態の補強方法における小段部の形成工程を説明する断面図である。
【図２０】第３実施形態の補強方法における排水部材の打込工程、定置受圧部材の配置工程、及び支持部材の配置工程を説明する断面図である。
【図２１】第３実施形態の補強方法における固定部材による固定工程を説明する断面図である。
【図２２】第４実施形態の補強構造の断面図である。
【図２３】第４実施形態の補強方法における手順の概略を示すフローチャートである。
【図２４】第４実施形態の補強方法における打込み受圧部材の配置工程を説明する断面図である。
【図２５】第４実施形態の補強方法における小段部の形成工程を説明する断面図である。
【図２６】第４実施形態の補強方法における排水部材の打込工程を説明する断面図である。
【図２７】第４実施形態の補強方法における定置受圧部材の配置工程及び支持部材の配置工程を説明する断面図である。
【図２８】第４実施形態の補強方法における固定部材による固定工程を説明する断面図である。
【発明を実施するための形態】
【００１９】
以下、図面を参照し、本発明の一実施形態にかかる土砂構造物の補強構造及び補強方法を説明する。
補強対象とする土砂構造物の傾斜面とは、盛土や切土の鉛直に対し斜めに傾斜した面である。各実施形態では道路、鉄道や宅地等の切土や盛土において、上下方向に傾斜して左右となる横方向に連続した傾斜面、あるいはその傾斜面において補強を行うある一部分の断面の例となっている。
【００２０】
（第１実施形態）
第１実施形態の土砂構造物の補強構造では、図１及び図２に示すように、土砂構造物の傾斜面１１に小段部１３が形成され、この小段部１３に鉛直方向に沿う側面１３ａが形成されている。そして小段部１３の側面１３ａに受圧用具１５が設置されることで土砂構造物の傾斜面１１が補強されている。
【００２１】
受圧用具１５は、小段部１３の側面１３ａに配置可能な定置受圧部材（受圧部材）１７と、小段部１３の側面１３ａに打込み可能な排水部材１９と、を有し、定置受圧部材１７と排水部材１９とが互いに固定されている。
定置受圧部材１７と排水部材１９との固定構造としては、定置受圧部材１７とは別部材からなり、定置受圧部材１７の背面側を支持する支持部材２１と、排水部材１９と支持部材２１とを固定する固定部材２３と、を備えている。
【００２２】
定置受圧部材１７は、土砂を支持し易いように薄板を扁平形状に加工したもので、人手により運搬可能なものとなっている。正面側が小段部１３の側面１３ａと対向当接して配置され、背面側が支持部材２１により支持されている。
定置受圧部材１７の中央部には排水部材１９を挿通する貫通孔１７ａが形成されている。貫通孔１７ａは排水部材１９に対して大きく形成されており、定置受圧部材１７（側面１３ａ）に対して排水部材１９が大きく傾倒可能となっている。
【００２３】
排水部材１９は、土砂構造物中の水を小段部１３の側面１３ａより外側へ排出するための部材である。排水部材１９は管状部材からなり、排水部材１９において地中に埋設される頭部側には、土砂構造物に強固に固定するための螺旋状の羽部２０が設けられている。排水部材１９の側周囲には土砂中の水分を排水部材１９内に侵入させるための開口が設けられており、土砂中の水分を排水部材１９の後端部（土砂構造物から突出する端部）から排水させる構成となっている。
【００２４】
支持部材２１は、定置受圧部材１７の背面側に当接するリブ部２１ａと、リブ部２１ａに固定されて排水部材１９を挿通するリング部２１ｂと、を有している。
リブ部２１ａは、定置受圧部材１７の正面側に土砂構造物からの圧力が負荷された際、定置受圧部材１７の変形を防止するものである。リブ部２１ａは、定置受圧部材１７の正面視において中央部から周囲へ放射方向に延びる板状体からなり、一方の側縁が定置受圧部材１７の背面側に当接している。
リング部２１ｂは、定置受圧部材１７の背面側における貫通孔１７ａに対応する位置に配置されている。リング部２１ｂの内部は排水部材１９を挿通可能であり、リング部２１ｂが排水部材１９に対して大きく形成されることで、リング部２１ｂに対して排水部材１９が大きく傾倒可能となっている。
【００２５】
固定部材２３は、リング部２１ｂと排水部材１９との間に打ち込むくさび部２３ａを有する。
リング部２１ｂと排水部材１９の後端側との間に、周囲に分散して複数のくさび部２３ａが打ち込まれている。くさび部２３ａは周方向に略均等に配置されている。リング部２１ｂに対する排水部材１９の位置や傾きに応じてくさび部２３ａの打込み位置や打込み量が調整されることで、排水部材１９と定置受圧部材１７及び支持部材２１とを強固に固定することが可能である。
【００２６】
次に、このような受圧用具１５を用いて土砂構造物を補強する方法について説明する。
図３は第１実施形態の補強方法における手順の概略を示すフローチャートであり、図４〜図８は第１実施形態の各工程を説明する断面図である。
【００２７】
この補強方法では、前述のような補強構造を構築することで土砂構造物を補強する。
まず小段部１３の形成工程Ｓ１１において、傾斜面１１を部分的に掘削することで、図４に示すように、鉛直方向に沿う側面１３ａを形成しつつ小段部１３を形成する。側面１３ａを鉛直方向に沿うように形成するとは、少なくとも傾斜面１１よりも鉛直方向に沿わせることが必要であり、側面１３ａが実質的に鉛直方向に形成されるのが望ましい。
この実施形態では、小段部１３を横方向に断続あるいは連続するように形成する。小段部１３の側面１３ａは上下方向が定置受圧部材１７と同等以上の幅となるように形成する。
【００２８】
小段部１３を形成した後、排水部材１９の打込工程Ｓ１２において、図５に示すように、小段部１３の側面１３ａに排水部材１９を打込む。このとき、例えば前記羽部２０を側面１３ａに向けた状態で排水部材１９をその軸線回りに回転させ、羽部２０により推進力を得ながら小段部１３に排水部材１９を打込むことができる。排水部材１９は後端側を小段部１３の側面１３ａから突出させる。
小段部１３が横方向に断続あるいは連続して形成されているため、排水部材１９を小段部１３の連続方向に沿って所定の間隔で打込む。各排水部材１９は水平乃至水平よりも後端側が下り勾配となるように配設する。
【００２９】
定置受圧部材１７の配置工程Ｓ１３において、図６に示すように、小段部１３の側面１３ａに定置受圧部材１７を配置する。排水部材１９の後端側が突出した状態で配置されているため、定置受圧部材１７の貫通孔１７ａに排水部材１９を貫通させた状態とし、定置受圧部材１７の正面側を小段部１３の側面１３ａに対向当接する。小段部１３の連続方向に沿って複数の定置受圧部材１７を並べて配置する。
なお定置受圧部材１７が人力により運搬可能な大きさに形成されているため、各定置受圧部材１７を人力施工により配置することができる。
【００３０】
支持部材２１の配置工程Ｓ１４において、図７に示すように、リブ部２１ａとリング部２１ｂとが接合されている支持部材２１を、定置受圧部材１７の背面側に配置する。このときリング部２１ｂに排水部材１９を挿通させるとともにリブ部２１ａの側縁を定置受圧部材１７の背面側に当接させる。
支持部材２１も人力により運搬可能な大きさのため、各支持部材２１を人力施工により配置することができる。
【００３１】
固定部材２３による固定工程Ｓ１５において、図８に示すように、定置受圧部材１７と排水部材１９とを固定する。リング部２１ｂと排水部材１９の後端側との間の間隙に、周囲に分散して複数のくさび部２３ａを打ち込む。
定置受圧部材１７及び支持部材２１に対し排水部材１９は傾斜して配置されており、リング部２１ｂと排水部材１９の後端側との間の間隙が周方向の各位置で異なる。そのため複数のくさび部２３ａの挿入量を各位置における間隙の大きさに応じて調整して打込むことで、定置受圧部材１７及び支持部材２１と排水部材１９とを、その状態のままで固定することが可能である。ただし、排水部材１９の打設精度を高めたり、打設された排水部材１９の位置に合せて、小段部１３の側面１３ａを形成し直したりすることで、リング部２１ｂと排水部材１９の後端側との間の間隙が周方向の各位置で同等になる場合は、以下に示す方法を実施することも可能である。例えば、くさび部２３ａとしてリング形状をした単体の構成を用いることや、リング部２１ｂおよび排水部材１９にねじ部を設けて両者をナットにより固定することも可能である。これらの方法は、以降に示す実施形態についても同様である。
これにより前述のような補強構造を構築して土砂構造物を補強することができる。
【００３２】
なお、この補強構造はそのまま設置していてもよいが、図８に仮想線（二点鎖線）で示すように、排水部材１９の後端部を突出させた状態で、小段部１３を土砂により埋め戻して再び傾斜面１１を形成してもよい。
【００３３】
以上のような第１実施形態の受圧用具１５を用いた土砂構造物の補強構造及び補強方法によれば、土砂構造物の傾斜面１１にそのまま受圧板を配置するのではなく、土砂構造物の傾斜面１１に小段部１３を形成して土砂構造物を補強するので、傾斜面１１が緩斜面（例えば、縦：横＝１：０．５よりも緩い勾配の斜面）であってもしっかりと補強することができる。
【００３４】
さらに鉛直方向に沿うように形成した小段部１３の側面１３ａに定置受圧部材１７を配置するので、定置受圧部材１７から傾斜面１１の土砂が逃げ難い。また土砂構造物のうち排水部材１９が打込まれた部分では排水が促進されることから、排水部材１９の周辺の土はせん断強さが高まり易い。そして排水を促進できる排水部材１９に、土砂が逃げ難い定置受圧部材１７を固定するので、排水部材１９及び定置受圧部材１７により傾斜面１１の土砂を強固に支持することができる。
従って土砂構造物の傾斜面１１を確実に補強することが可能である。
【００３５】
第１実施形態の土砂構造物の補強方法によれば、小段部１３の側面１３ａを形成した後で、小段部１３の側面１３ａに定置受圧部材１７を対向当接させるので、定置受圧部材１７を適切な向きで設置する作業が容易である。
【００３６】
第１実施形態の土砂構造物の補強構造によれば、定置受圧部材１７を背面側から支持する支持部材２１が定置受圧部材１７とは別部材からなるので、定置受圧部材１７を強固に支持する支持部材２１を設けても、定置受圧部材１７を軽量に形成できる。そのため十分な補強強度を確保できる補強構造であっても、施工時の作業性を向上できる。
【００３７】
第１実施形態の受圧用具１５を用いた土砂構造物の補強構造によれば、支持部材２１が定置受圧部材１７の背面側に当接するリブ部２１ａにリング部２１ｂを固定した構造のため、定置受圧部材１７を強固に支持する支持部材２１を軽量化できる。固定部材２３のくさび部２３ａも、リング部２１ｂと排水部材１９との間に打ち込んで固定できればよいため軽量化できる。そのため作業性の更なる向上を図れる。
【００３８】
また、リング部２１ｂと排水部材１９との間にくさび部２３ａを打ち込むことで、定置受圧部材１７を支持する構造なので、定置受圧部材１７と排水部材１９との相対角度や相対位置が大きくばらついても確実に強固に固定することができる。
【００３９】
さらにリング部２１ｂと排水部材１９の後端部との間に、周囲に分散して複数のくさび部２３ａが打ち込まれているため、定置受圧部材１７と排水部材１９との相対角度や相対位置が大きくばらついていても、周囲のくさび部２３ａにより均等に圧力を負荷して安定に固定することが可能である。
【００４０】
なお第１実施形態では、排水部材１９の打込工程Ｓ１２の後で定置受圧部材１７の配置工程Ｓ１３を行ったが、定置受圧部材１７の配置工程Ｓ１３の後で排水部材１９の打込工程Ｓ１２を行うことも可能である。
【００４１】
（第２実施形態）
第２実施形態の土砂構造物の補強構造では、図９及び図１０に示すように、土砂構造物の傾斜面１１に小段部１３が形成され、この小段部１３に鉛直方向に沿う側面１３ａが形成されている。そして小段部１３の側面１３ａに受圧用具１５が設置されることで土砂構造物の傾斜面１１が補強されている。
【００４２】
受圧用具１５は、小段部１３の側面１３ａに配置可能な定置受圧部材（受圧部材）１７及び打込み受圧部材（受圧部材）２５と、小段部１３の側面１３ａに打込み可能な排水部材１９と、を有し、定置受圧部材１７及び打込み受圧部材２５と排水部材１９とが互いに固定されている。
定置受圧部材１７及び打込み受圧部材２５と排水部材１９との固定構造としては、定置受圧部材１７及び打込み受圧部材２５とは別部材からなり、定置受圧部材１７の背面側を支持する支持部材２１と、排水部材１９と支持部材２１とを固定する固定部材２３と、を備えている。
【００４３】
定置受圧部材１７、排水部材１９、支持部材２１、及び固定部材２３は、それぞれ第１実施形態の定置受圧部材１７、排水部材１９、支持部材２１、及び固定部材２３と同様である。
打込み受圧部材２５は、平坦な板等から構成された矢板からなる。この打込み受圧部材２５は定置受圧部材１７より上下方向に長く形成されている。打込み受圧部材２５は、１つの定置受圧部材１７に対して左右方向に複数配置されている。打込み受圧部材２５の下端部は、土砂構造物に打込まれている。打込み受圧部材２５は定置受圧部材１７と複数積層した状態で、土砂構造物からの荷重を強固に支持している。
【００４４】
次に、このような受圧用具１５を用いて土砂構造物を補強する方法について説明する。
図１１は第２実施形態の補強方法における手順の概略を示すフローチャートであり、図１２〜図１５は第２実施形態の各工程を説明する断面図である。
【００４５】
この補強方法では、第２実施形態の補強構造を構築することで土砂構造物を補強する。
まず小段部１３の形成工程Ｓ２１において、第１実施形態と同様に傾斜面１１を部分的に掘削することで、図１２に示すように、鉛直方向に沿う側面１３ａを形成しつつ、小段部１３を横方向に断続あるいは連続するように形成する。
打込み受圧部材２５の配置工程Ｓ２２において、図１２に示すように、打込み受圧部材２５を小段部１３の側面１３ａに配置する。小段部１３の連続方向に沿って複数の打込み受圧部材２５を互いに間隔を空けて並べて配置し、各打込み受圧部材２５の正面側を小段部１３の側面１３ａに対向当接させる。このとき、例えば、打込み受圧部材２５を側面１３ａに沿わせた状態で、打込み受圧部材２５の上端部に上方から押圧力を加えることで、打込み受圧部材２５を土砂構造物に対して打込むことができる。
【００４６】
小段部１３を形成して打込み受圧部材２５を配置した後、排水部材１９の打込工程Ｓ２３において、図１３に示すように、小段部１３の側面１３ａに排水部材１９を打込む。排水部材１９は互いに隣り合う打込み受圧部材２５の間隙の位置に打込んで配置し、後端側を小段部１３の側面１３ａから突出させる。
排水部材１９は小段部１３の連続方向に沿って所定の間隔で複数打込む。各排水部材１９は水平乃至水平よりも後端側が下り勾配となるように配設する。
【００４７】
定置受圧部材１７の配置工程Ｓ２４において、図１４に示すように、小段部１３の側面１３ａに配置された打込み受圧部材２５の背面側に定置受圧部材１７を配置する。定置受圧部材１７は排水部材１９の両側に配置されている複数の打込み受圧部材２５の背面側に当接して配置される。
排水部材１９の後端側が突出しているため、定置受圧部材１７の貫通孔１７ａに排水部材１９を貫通させた状態とし、定置受圧部材１７の正面側を打込み受圧部材２５の背面側に対向当接させる。複数の定置受圧部材１７を小段部１３の連続方向に沿って並べて配置する。
【００４８】
支持部材２１の配置工程Ｓ２５において、図１４に示すように、リブ部２１ａとリング部２１ｂとが接合されている支持部材２１を定置受圧部材１７の背面側に配置する。このときリング部２１ｂに排水部材１９を挿通させるとともにリブ部２１ａの側縁を定置受圧部材１７の背面側に当接させる。
【００４９】
固定部材２３による固定工程Ｓ２６において、図１５に示すように、定置受圧部材１７及び打込み受圧部材２５と排水部材１９とを固定する。リング部２１ｂと排水部材１９の後端側との間の間隙に、周囲に分散して複数のくさび部２３ａを打ち込む。複数のくさび部２３ａの挿入量を各位置における間隙の大きさに応じて調整して打込むことで、定置受圧部材１７及び打込み受圧部材２５と支持部材２１と排水部材１９とが、その状態のままで固定される。
これにより前述のような補強構造を構築して土砂構造物を補強することができる。
【００５０】
なお、この補強構造はそのまま設置していてもよいが、前記第１実施形態と同様に、排水部材１９の後端部を突出させた状態で、小段部１３を土砂により埋め戻して再び傾斜面１１を形成してもよい。
また補強構造を構築する際は、打込み受圧部材２５、排水部材１９、定置受圧部材１７、支持部材２１及び固定部材２３のくさび部２３ａがそれぞれ人力により運搬可能であるため、各工程を人力施工により配置することができる。
【００５１】
以上のような第２実施形態の受圧用具１５を用いた土砂構造物の補強構造及び補強方法でも、土砂構造物の傾斜面１１に小段部１３を形成して土砂構造物を補強するので、傾斜面１１が緩斜面であっても補強できる。
また鉛直方向に沿う小段部１３の側面１３ａに定置受圧部材１７及び打込み受圧部材２５を配置するので、定置受圧部材１７及び打込み受圧部材２５から傾斜面１１の土砂が逃げ難い。また排水を促進できる排水部材１９に土砂が逃げ難い定置受圧部材１７及び打込み受圧部材２５を固定するので、傾斜面１１の土砂を強固に支持することができる。
従って土砂構造物の傾斜面１１を確実に補強することが可能である。
【００５２】
この補強方法では、小段部１３の側面１３ａを形成した後で、小段部１３の側面１３ａに定置受圧部材１７及び打込み受圧部材２５を対向当接させるので、定置受圧部材１７及び打込み受圧部材２５を適切な向きで設置する作業が容易である。
【００５３】
この補強構造では、定置受圧部材１７及び打込み受圧部材２５を背面側から支持する支持部材２１が定置受圧部材１７及び打込み受圧部材２５とは別部材なので、定置受圧部材１７及び打込み受圧部材２５を軽量に形成できる。そのため十分な補強強度を確保できる補強構造であっても、施工時の作業性を向上できる。
【００５４】
この補強構造では、支持部材２１が定置受圧部材１７の背面側に当接するリブ部２１ａにリング部２１ｂを固定した構造のため、定置受圧部材１７及び打込み受圧部材２５を強固に支持する支持部材２１を軽量化でき、固定部材２３のくさび部２３ａも軽量化できる。そのため作業性の更なる向上を図れる。
【００５５】
さらにリング部２１ｂと排水部材１９との間にくさび部２３ａを打ち込むことで、定置受圧部材１７及び打込み受圧部材２５を支持する構造なので、定置受圧部材１７及び打込み受圧部材２５と排水部材１９との相対角度や相対位置が大きくばらついても確実に強固に固定することができる。定置受圧部材１７及び打込み受圧部材２５と排水部材１９との相対角度や相対位置が大きくばらついていても、周囲のくさび部２３ａにより均等に圧力を負荷して安定に固定することが可能である。
【００５６】
また第２実施形態の土砂構造物の補強構造によれば、定置受圧部材１７及び打込み受圧部材２５が複数層積層されているので、単体重量の増加を防止して定置受圧部材１７及び打込み受圧部材２５全体の強度を向上することができる。
【００５７】
なお第２実施形態では、打込み受圧部材２５の配置工程Ｓ２２後で定置受圧部材１７の配置工程Ｓ２４前に、排水部材１９の打込工程Ｓ２３を行ったが、打込み受圧部材２５の配置工程Ｓ２２の前に排水部材１９の打込工程Ｓ２３を行ってもよく、さらに定置受圧部材１７の配置工程Ｓ２４の後に排水部材１９の打込工程Ｓ２３を行ってもよい。
また第２実施形態では、打込み受圧部材２５の配置工程Ｓ２２よりも後に定置受圧部材１７の配置工程Ｓ２４を行ったが、定置受圧部材１７の配置工程Ｓ２４後に打込み受圧部材２５の配置工程Ｓ２２を行うことは可能である。例えば排水部材１９、定置受圧部材１７、支持部材２１を固定部材２３のくさび部２３ａにより固定した後で、小段部１３の側面１３ａと定置受圧部材１７との間に打込み受圧部材２５を打ち込んで設置してもよい。
【００５８】
（第３実施形態）
第３実施形態の土砂構造物の補強構造では、図１６に示すように、土砂構造物の傾斜面１１に小段部１３が形成され、この小段部１３に鉛直方向に沿う側面１３ａが形成されている。そして小段部１３の側面１３ａに受圧用具１５が設置されることで土砂構造物の傾斜面１１が補強されている。
【００５９】
受圧用具１５は、小段部１３の側面１３ａに配置可能な定置受圧部材１７及び打込み受圧部材２５と、小段部１３の側面１３ａに打込み可能な排水部材１９と、を有し、定置受圧部材１７及び打込み受圧部材２５と排水部材１９とが互いに固定されている。
定置受圧部材１７及び打込み受圧部材２５と排水部材１９との固定構造としては、定置受圧部材１７及び打込み受圧部材２５とは別部材からなり、定置受圧部材１７の背面側を支持する支持部材２１と、排水部材１９と支持部材２１とを固定する固定部材２３と、を備えている。
【００６０】
定置受圧部材１７及び打込み受圧部材２５、排水部材１９、支持部材２１、及び固定部材２３は、それぞれ第２実施形態の定置受圧部材１７、排水部材１９、支持部材２１、及び固定部材２３と同様である。
【００６１】
次に、このような受圧用具１５を用いて土砂構造物を補強する方法について説明する。
図１７は第３実施形態の補強方法における手順の概略を示すフローチャートであり、図１８〜図２１は第３実施形態の各工程を説明する断面図である。
【００６２】
この補強方法では、第３実施形態の補強構造を構築することで土砂構造物を補強する。
まず打込み受圧部材２５の配置工程Ｓ３１において、図１８に示すように、傾斜面１１における小段部１３の形成予定部位に、打込み受圧部材２５を傾斜面１１に鉛直方向に沿うように打ち込む。この打込み受圧部材２５に隣接する土砂部分が、小段部１３を形成した際に小段部１３の側面１３ａとなる。断続あるいは連続した小段部１３を形成した際に、側面１３ａに沿って複数の打込み受圧部材２５が排水部材１９を打設できる間隔を空けて並ぶように、複数の打込み受圧部材２５を打ち込む。
【００６３】
小段部１３の形成工程Ｓ３２において、傾斜面１１の打込み受圧部材２５に隣接する部位を掘削することで、図１９に示すように、横方向に断続あるいは連続する小段部１３を形成する。各打込み受圧部材２５は下端部が土砂中に埋設された状態に保つ。
各打込み受圧部材２５の下端部を除く残部では、一方面が土砂に対向当接して小段部１３の側面１３ａを形成する。他方面は小段部１３に露出される。
【００６４】
打込み受圧部材２５を配置して小段部１３を形成した後、排水部材１９の打込工程Ｓ３３において、図２０に示すように、小段部１３の側面１３ａに排水部材１９を打込む。排水部材１９は互いに隣り合う打込み受圧部材２５の間隙の位置に打込んで配置し、後端側を小段部１３の側面１３ａから突出させる。
排水部材１９は小段部１３の連続方向に沿って所定の間隔で複数打込む。各排水部材１９は水平乃至水平よりも後端側が下り勾配となるように配設する。
【００６５】
定置受圧部材１７の配置工程Ｓ３４において、図２０に示すように、小段部１３の側面１３ａに配置された打込み受圧部材２５の背面側に定置受圧部材１７を配置する。定置受圧部材１７は排水部材１９の両側に配置されている複数の打込み受圧部材２５の背面側に当接して配置される。
排水部材１９の後端側が突出しているため、定置受圧部材１７の貫通孔１７ａに排水部材１９を貫通させた状態とし、定置受圧部材１７の正面側を打込み受圧部材２５の背面側に対向当接させる。複数の定置受圧部材１７を小段部１３の連続方向に沿って並べて配置する。
【００６６】
支持部材２１の配置工程Ｓ３５において、図２０に示すように、リブ部２１ａとリング部２１ｂとが接合されている支持部材２１を定置受圧部材１７の背面側に配置する。このときリング部２１ｂに排水部材１９を挿通させるとともにリブ部２１ａの側縁を定置受圧部材１７の背面側に当接させる。
【００６７】
固定部材２３による固定工程Ｓ３６において、図２１に示すように、定置受圧部材１７及び打込み受圧部材２５と排水部材１９とを固定する。リング部２１ｂと排水部材１９の後端側との間の間隙に、周囲に分散して複数のくさび部２３ａを打ち込む。複数のくさび部２３ａの挿入量を各位置における間隙の大きさに応じて調整して打込むことで、定置受圧部材１７及び打込み受圧部材２５と支持部材２１と排水部材１９とが、その状態のままで固定される。
これにより前述のような補強構造を構築して土砂構造物を補強することができる。
【００６８】
なお、この補強構造はそのまま設置していてもよいが、図２１に仮想線で示すように、排水部材１９の後端部を突出させた状態で、小段部１３を土砂により埋め戻して再び傾斜面１１を形成してもよい。
また補強構造を構築する際は、打込み受圧部材２５、排水部材１９、定置受圧部材１７、支持部材２１及び固定部材２３のくさび部２３ａがそれぞれ人力により運搬可能であるため、各工程を人力施工により配置することができる。
【００６９】
以上のような第３実施形態の受圧用具１５を用いた土砂構造物の補強構造及び補強方法でも、土砂構造物の傾斜面１１に小段部１３を形成して土砂構造物を補強するので、傾斜面１１が緩斜面であっても補強できる。
また鉛直方向に沿う小段部１３の側面１３ａに定置受圧部材１７及び打込み受圧部材２５を配置するので、定置受圧部材１７及び打込み受圧部材２５から傾斜面１１の土砂が逃げ難い。また排水を促進できる排水部材１９に土砂が逃げ難い定置受圧部材１７及び打込み受圧部材２５を固定するので、傾斜面１１の土砂を強固に支持することができる。
従って土砂構造物の傾斜面１１を確実に補強することが可能である。
【００７０】
この第３実施形態の土砂構造物の補強方法によれば、小段部１３の形成予定部位に打込み受圧部材２５を打込んで側面１３ａの形状を形成してから、土砂を除去することで小段部１３を形成するので、傾斜面１１が崩れやすくても鉛直方向に沿う側面１３ａを有する小段部１３を形成することができる。
【００７１】
この補強構造では、定置受圧部材１７及び打込み受圧部材２５を背面側から支持する支持部材２１が定置受圧部材１７及び打込み受圧部材２５とは別部材なので、定置受圧部材１７及び打込み受圧部材２５を軽量に形成できる。そのため十分な補強強度を確保できる補強構造であっても、施工時の作業性を向上できる。
【００７２】
この補強構造では、支持部材２１が定置受圧部材１７及び打込み受圧部材２５の背面側に当接するリブ部２１ａにリング部２１ｂを固定した構造のため、定置受圧部材１７及び打込み受圧部材２５を強固に支持する支持部材２１を軽量化でき、固定部材２３のくさび部２３ａも軽量化できる。そのため作業性の更なる向上を図れる。
【００７３】
さらにリング部２１ｂと排水部材１９との間にくさび部２３ａを打ち込むことで、定置受圧部材１７及び打込み受圧部材２５を支持する構造なので、定置受圧部材１７及び打込み受圧部材２５と排水部材１９との相対角度や相対位置が大きくばらついても確実に強固に固定することができる。定置受圧部材１７及び打込み受圧部材２５と排水部材１９との相対角度や相対位置が大きくばらついていても、周囲のくさび部２３ａにより均等に圧力を負荷して安定に固定することが可能である。
【００７４】
また第３実施形態の土砂構造物の補強構造によれば、定置受圧部材１７及び打込み受圧部材２５が複数層積層されているので、単体重量の増加を防止して定置受圧部材１７及び打込み受圧部材２５全体の強度を向上することができる。
【００７５】
なお第３実施形態では、定置受圧部材１７の配置工程Ｓ３４前に排水部材１９の打込工程Ｓ３３を行ったが、定置受圧部材１７の配置工程Ｓ３４の後に排水部材１９の打込工程を行ってもよい。
【００７６】
（第４実施形態）
第４実施形態の土砂構造物の補強構造では、図２２に示すように、土砂構造物の傾斜面１１に小段部１３が突出形状に形成され、この小段部１３に鉛直方向に沿う側面１３ａが形成されている。そして小段部１３の側面１３ａに受圧用具１５が設置されることで土砂構造物の傾斜面１１が補強されている。
【００７７】
受圧用具１５は、小段部１３の側面１３ａに配置可能な定置受圧部材１７及び打込み受圧部材２５と、小段部１３の側面１３ａに打込み可能な排水部材１９と、を有し、定置受圧部材１７及び打込み受圧部材２５と排水部材１９とが互いに固定されている。
定置受圧部材１７及び打込み受圧部材２５と排水部材１９との固定構造としては、定置受圧部材１７及び打込み受圧部材２５とは別部材からなり、定置受圧部材１７の背面側を支持する支持部材２１と、排水部材１９と支持部材２１とを固定する固定部材２３と、を備えている。
【００７８】
定置受圧部材１７及び打込み受圧部材２５、排水部材１９、支持部材２１、及び固定部材２３は、それぞれ第２実施形態の定置受圧部材１７、排水部材１９、支持部材２１、及び固定部材２３と同様である。
【００７９】
次に、このような受圧用具１５を用いて土砂構造物を補強する方法について説明する。
図２３は第４実施形態の補強方法における手順の概略を示すフローチャートであり、図２４〜図２８は第４実施形態の各工程を説明する断面図である。
【００８０】
この補強方法では、第４実施形態の補強構造を構築することで土砂構造物を補強する。
まず打込み受圧部材２５の配置工程Ｓ４１において、図２４に示すように、傾斜面１１における小段部１３の形成予定部位に、打込み受圧部材２５の下端部を傾斜面１１に鉛直方向に沿うように打ち込む。これにより打込み受圧部材２５の下端部を除く全体を傾斜面１１の上方に突出させて設置する。複数の打込み受圧部材２５を互いに間隔を空けて並ぶように打込んで設置する。
【００８１】
小段部１３の形成工程Ｓ４２において、図２５に示すように、突出して配置された打込み受圧部材２５と傾斜面１１との間の空間に土砂を充填して土盛りする。これにより打込み受圧部材２５に当接する土砂で側面１３ａが構成される小段部１３を横方向に断続あるいは連続するように形成する。
【００８２】
打込み受圧部材２５を配置して小段部１３を形成した後、排水部材１９の打込工程Ｓ４３において、図２６に示すように、小段部１３の側面１３ａに排水部材１９を元の傾斜面１１の内部に進入するように打込む。排水部材１９は互いに隣り合う打込み受圧部材２５の間隙の位置に打込んで配置し、後端側を小段部１３の側面１３ａから突出させる。
排水部材１９は小段部１３の連続方向に沿って所定の間隔で複数打込む。各排水部材１９は水平乃至水平よりも後端側が下り勾配となるように配設する。
【００８３】
定置受圧部材１７の配置工程Ｓ４４において、図２７に示すように、小段部１３の側面１３ａに配置された打込み受圧部材２５の背面側に定置受圧部材１７を配置する。定置受圧部材１７は排水部材１９の両側に配置されている複数の打込み受圧部材２５の背面側に当接して配置される。
排水部材１９の後端側が突出しているため、定置受圧部材１７の貫通孔１７ａに排水部材１９を貫通させた状態とし、定置受圧部材１７の正面側を打込み受圧部材２５の背面側に対向当接させる。複数の定置受圧部材１７を小段部１３の連続方向に沿って並べて配置する。
【００８４】
支持部材２１の配置工程Ｓ４５において、図２７に示すように、リブ部２１ａとリング部２１ｂとが接合されている支持部材２１を定置受圧部材１７の背面側に配置する。このときリング部２１ｂに排水部材１９を挿通させるとともにリブ部２１ａの側縁を定置受圧部材１７の背面側に当接させる。
【００８５】
固定部材２３による固定工程Ｓ４６において、図２８に示すように、定置受圧部材１７及び打込み受圧部材２５と排水部材１９とを固定する。リング部２１ｂと排水部材１９の後端側との間の間隙に、周囲に分散して複数のくさび部２３ａを打ち込む。複数のくさび部２３ａの挿入量を各位置における間隙の大きさに応じて調整して打込むことで、定置受圧部材１７及び打込み受圧部材２５と支持部材２１と排水部材１９とが、その状態のままで固定される。
これにより前述のような補強構造を構築して土砂構造物を補強することができる。
【００８６】
なお、補強構造を構築する際は、打込み受圧部材２５、排水部材１９、定置受圧部材１７、支持部材２１及び固定部材２３のくさび部２３ａがそれぞれ人力により運搬可能であるため、各工程を人力施工により配置することができる。
【００８７】
以上のような第４実施形態の受圧用具１５を用いた土砂構造物の補強構造及び補強方法でも、土砂構造物の傾斜面１１に小段部１３を形成して土砂構造物を補強するので、傾斜面１１が緩斜面であっても補強できる。
また鉛直方向に沿う小段部１３の側面１３ａに定置受圧部材１７及び打込み受圧部材２５を配置するので、定置受圧部材１７及び打込み受圧部材２５から傾斜面１１の土砂が逃げ難い。また排水を促進できる排水部材１９に土砂が逃げ難い定置受圧部材１７及び打込み受圧部材２５を固定するので、傾斜面１１の土砂を強固に支持することができる。
従って土砂構造物の傾斜面１１を確実に補強することが可能である。
【００８８】
この補強方法では、小段部１３の形成予定部位に打込み受圧部材２５を打込んで側面１３ａの形状を形成してから、土砂を充填して小段部１３を形成するので、傾斜面１１が崩れやすくても鉛直方向に沿う側面１３ａを有する小段部１３を形成することができる。
【００８９】
この補強構造では、定置受圧部材１７及び打込み受圧部材２５を背面側から支持する支持部材２１が定置受圧部材１７及び打込み受圧部材２５とは別部材なので、定置受圧部材１７及び打込み受圧部材２５を軽量に形成できる。そのため十分な補強強度を確保できる補強構造であっても、施工時の作業性を向上できる。
【００９０】
この補強構造では、支持部材２１が定置受圧部材１７及び打込み受圧部材２５の背面側に当接するリブ部２１ａにリング部２１ｂを固定した構造のため、定置受圧部材１７及び打込み受圧部材２５を強固に支持する支持部材２１を軽量化でき、固定部材２３のくさび部２３ａも軽量化できる。そのため作業性の更なる向上を図れる。
【００９１】
さらにリング部２１ｂと排水部材１９との間にくさび部２３ａを打ち込むことで、定置受圧部材１７及び打込み受圧部材２５を支持する構造なので、定置受圧部材１７及び打込み受圧部材２５と排水部材１９との相対角度や相対位置が大きくばらついても確実に強固に固定することができる。定置受圧部材１７及び打込み受圧部材２５と排水部材１９との相対角度や相対位置が大きくばらついていても、周囲のくさび部２３ａにより均等に圧力を負荷して安定に固定することが可能である。
【００９２】
また第４実施形態の土砂構造物の補強構造によれば、定置受圧部材１７及び打込み受圧部材２５が複数層積層されているので、単体重量の増加を防止して定置受圧部材１７及び打込み受圧部材２５全体の強度を向上することができる。
【００９３】
なお第４実施形態では、定置受圧部材１７の配置工程Ｓ４４前に排水部材１９の打込工程Ｓ４３を行ったが、定置受圧部材１７の配置工程Ｓ４４の後に排水部材１９の打込工程Ｓ４３を行ってもよい。
【符号の説明】
【００９４】
１１…傾斜面
１３…小段部
１３ａ…側面
１５…受圧用具
１７…定置受圧部材（受圧部材）
１７ａ…貫通孔
１９…排水部材
２１…支持部材
２１ａ…リブ部
２１ｂ…リング部
２３…固定部材
２３ａ…くさび部
２５…打込み受圧部材（受圧部材）
【図１】
2017218768.tif 000003
【図２】
2017218768.tif 000004
【図３】
2017218768.tif 000005
【図４】
2017218768.tif 000006
【図５】
2017218768.tif 000007
【図６】
2017218768.tif 000008
【図７】
2017218768.tif 000009
【図８】
2017218768.tif 000010
【図９】
2017218768.tif 000011
【図１０】
2017218768.tif 000012
【図１１】
2017218768.tif 000013
【図１２】
2017218768.tif 000014
【図１３】
2017218768.tif 000015
【図１４】
2017218768.tif 000016
【図１５】
2017218768.tif 000017
【図１６】
2017218768.tif 000018
【図１７】
2017218768.tif 000019
【図１８】
2017218768.tif 000020
【図１９】
2017218768.tif 000021
【図２０】
2017218768.tif 000022
【図２１】
2017218768.tif 000023
【図２２】
2017218768.tif 000024
【図２３】
2017218768.tif 000025
【図２４】
2017218768.tif 000026
【図２５】
2017218768.tif 000027
【図２６】
2017218768.tif 000028
【図２７】
2017218768.tif 000029
【図２８】
2017218768.tif 000030